(57)【特許請求の範囲】
【請求項１】
複数のオーディオ機器を有するオーディオシステムと、前記複数のオーディオ機器のうち特定機器と通信する携帯端末装置と、を有し、
前記特定機器は、
自己を含む前記複数のオーディオ機器から現在の消費電力を取得する消費電力取得部と、
前記取得した現在の消費電力を合計してオーディオシステム全体の現在の消費電力であるシステム消費電力を算出するシステム消費電力取得部と、
算出されたシステム消費電力を前記携帯端末装置に送信する消費電力送信部と、
前記携帯端末装置からシステム消費電力の目標値を受信する目標値取得部と、
受信したシステム消費電力の目標値を前記複数のオーディオ機器に配分する目標値配分部と、
配分された各機器ごとの目標値をそれぞれ対応するオーディオ機器に送信する目標値送信部と、
自己の消費電力を、自己に配分された目標値に制御する電力制御部と、
を備え、
前記携帯端末装置は、
前記特定機器からシステム消費電力を受信する手段と、
受信したシステム消費電力を表示する手段と、
前記システム消費電力の目標値の入力を受け付ける手段と、
入力された前記システム消費電力の目標値を前記特定機器に送信する手段と、
を備えた
オーディオ電力制御システム。
【請求項２】
他のオーディオ機器が接続される接続部と、
他の装置から消費電力の目標値を取得する目標値取得部と、
取得した目標値を前記接続部に接続された他のオーディオ機器および自己に配分する目標値配分部と、
他のオーディオ機器に配分された目標値を前記他のオーディオ機器に送信する目標値送信部と、
自己の消費電力を、自己に配分された目標値に制御する電力制御部と、
前記接続部に接続された前記他のオーディオ機器から現在の消費電力を取得する接続機器消費電力取得部と、
自己の消費電力を取得する自己消費電力取得部と、
前記接続機器消費電力取得部および前記自己消費電力取得部が取得した消費電力を合計してシステム消費電力を算出するシステム消費電力取得部と、
算出されたシステム消費電力を前記他の装置に送信する消費電力送信部と、
を備えたオーディオ機器。
【請求項３】
複数のオーディオ機器を有するオーディオシステムと、前記複数のオーディオ機器のうち特定機器と通信する携帯端末装置と、を有し、
前記特定機器は、
自己を含む前記複数のオーディオ機器から現在の消費電力を取得する消費電力取得部と、
取得した前記複数のオーディオ機器の消費電力を前記携帯端末装置に送信する消費電力送信部と、
前記携帯端末装置から自己の消費電力の目標値を受信する目標値取得部と、
自己の消費電力を、取得された目標値に制御する電力制御部と、
を備え、
前記携帯端末装置は、
前記特定機器から前記複数のオーディオ機器の消費電力を受信する手段と、
前記受信した現在の消費電力を合計してオーディオシステム全体の現在の消費電力であるシステム消費電力を算出する手段と、
算出されたシステム消費電力を表示する手段と、
前記システム消費電力の目標値の入力を受け付ける手段と、
入力されたシステム消費電力の目標値を前記複数のオーディオ機器に配分する手段と、
配分された各機器ごとの目標値をそれぞれ対応するオーディオ機器に送信する手段と、
を備えた
オーディオ電力制御システム。
【請求項４】
携帯電話機の制御部を、
オーディオシステムを構成する複数のオーディオ機器のうち特定機器から前記オーディオシステムの現在の消費電力であるシステム消費電力を受信する手段、
受信したシステム消費電力を表示する手段、
前記システム消費電力の目標値の入力を受け付ける手段、および、
入力された前記システム消費電力の目標値を前記特定機器に送信する手段、
として機能させるオーディオ機器制御プログラム。
【請求項５】
携帯電話機の制御部を、
オーディオシステムを構成する複数のオーディオ機器のうち特定機器から、前記複数のオーディオ機器の現在の消費電力を受信する手段、
前記受信した複数のオーディオ機器の現在の消費電力を合計してオーディオシステム全体の現在の消費電力であるシステム消費電力を算出する手段、
算出されたシステム消費電力を表示する手段、
前記システム消費電力の目標値の入力を受け付ける手段、
入力されたシステム消費電力の目標値を前記複数のオーディオ機器に配分する手段、および、
配分された各機器ごとの目標値をそれぞれ対応するオーディオ機器に送信する手段、
として機能させるオーディオ機器制御プログラム。
【請求項６】
請求項４または請求項５に記載のオーディオ機器制御プログラムを記憶する記憶部と、該記憶部に記憶されているプログラムを実行する制御部と、を備えた携帯電話機。
【発明の詳細な説明】
【技術分野】
【０００１】
この発明は、スマートフォンなどの携帯電話機からオーディオシステムの消費電力を制御するオーディオ電力制御システムに関する。
【背景技術】
【０００２】
オーディオシステムを含む電気機器に対して省電力で動作させるという要請がある。従来より省電力のための提案は種々のものがあるが、システムの電力監視技術として、特許文献１に記載のシステムが提案されている。特許文献１のシステムでは、システム接続された複数の電子機器のシステム消費電力を、システム接続のための接続線を利用してモニタリングすることができる。
【先行技術文献】
【特許文献】
【０００３】
【特許文献１】特開２００７−１９２７５８号公報
【発明の開示】
【発明が解決しようとする課題】
【０００４】
特許文献１のシステムでは、システム全体の消費電力をモニタリングすることができるが、モニタリングの結果として消費電力の目標値を設定して、システム全体の消費電力をその目標値に制御することはできない。システムの消費電力を制御しようとすれば、システムを構成する複数の機器を個別に操作して消費電力の調整を行わねばならず面倒であるとともに、システム全体の消費電力がどの程度になるかを事前に知ることができず、再度モニタリングしなければならないという問題点があった。
【０００５】
本発明は、オーディオシステム全体で一括して目標値への電力制御を可能にしたオーディオ電力制御システムを提供することを目的とする。
【課題を解決するための手段】
【０００６】
本発明の第１の側面によって提供されるオーディオ電力制御システムは、複数のオーディオ機器を有するオーディオシステムと、前記複数のオーディオ機器のうち特定機器と通信する携帯端末装置と、を有し、
前記特定機器は、自己を含む前記複数のオーディオ機器から現在の消費電力を取得する消費電力取得部と、前記取得した現在の消費電力を合計してオーディオシステム全体の現在の消費電力であるシステム消費電力を算出するシステム消費電力取得部と、算出されたシステム消費電力を前記携帯端末装置に送信する消費電力送信部と、前記携帯端末装置からシステム消費電力の目標値を受信する目標値取得部と、受信したシステム消費電力の目標値を前記複数のオーディオ機器に配分する目標値配分部と、配分された各機器ごとの目標値をそれぞれ対応するオーディオ機器に送信する目標値送信部と、自己の消費電力を、自己に配分された目標値に制御する電力制御部と、を備え、
前記携帯端末装置は、前記特定機器からシステム消費電力を受信する手段と、受信したシステム消費電力を表示する手段と、前記システム消費電力の目標値の入力を受け付ける手段と、入力された前記システム消費電力の目標値を前記特定機器に送信する手段と、を備えたことを特徴とする。
【０００７】
本発明の第２の側面によって提供されるオーディオ機器は、他のオーディオ機器が接続される接続部と、他の装置から消費電力の目標値を取得する目標値取得部と、取得した目標値を前記接続部に接続された他のオーディオ機器および自己に配分する目標値配分部と、他のオーディオ機器に配分された目標値を前記他のオーディオ機器に送信する目標値送信部と、自己の消費電力を、自己に配分された目標値に制御する電力制御部と、前記接続部に接続された他のオーディオ機器から現在の消費電力を取得する接続機器消費電力取得部と、自己の消費電力を取得する自己消費電力取得部と、前記接続機器消費電力取得部および前記自己消費電力取得部が取得した消費電力を合計してシステム消費電力を算出するシステム消費電力取得部と、算出されたシステム消費電力を前記他の装置に送信する消費電力送信部と、を備えたことを特徴とする。
【０００９】
本発明の第３の側面によって提供されるオーディオ電力制御システムは、複数のオーディオ機器を有するオーディオシステムと、前記複数のオーディオ機器のうち特定機器と通信する携帯端末装置と、を有し、
前記特定機器は、自己を含む前記複数のオーディオ機器から現在の消費電力を取得する消費電力取得部と、取得した前記複数のオーディオ機器の消費電力を前記携帯端末装置に送信する消費電力送信部と、前記携帯端末装置から自己の消費電力の目標値を受信する目標値取得部と、自己の消費電力を、取得された目標値に制御する電力制御部と、を備え、
前記携帯端末装置は、前記特定機器から前記複数のオーディオ機器の消費電力を受信する手段と、前記受信した現在の消費電力を合計してオーディオシステム全体の現在の消費電力であるシステム消費電力を算出する手段と、算出されたシステム消費電力を表示する手段と、前記システム消費電力の目標値の入力を受け付ける手段と、入力されたシステム消費電力の目標値を前記複数のオーディオ機器に配分する手段と、配分された各機器ごとの目標値をそれぞれ対応するオーディオ機器に送信する手段と、を備えたことを特徴とする。
【００１０】
この発明の第４の側面によって提供されるオーディオ機器制御プログラムは、携帯電話機の制御部を、オーディオシステムを構成する複数のオーディオ機器のうち特定機器から前記オーディオシステムの現在の消費電力であるシステム消費電力を受信する手段、受信したシステム消費電力を表示する手段、前記システム消費電力の目標値の入力を受け付ける手段、および、入力された前記システム消費電力の目標値を前記特定機器に送信する手段、として機能させることを特徴とする。
【００１１】
この発明の第５の側面によって提供されるオーディオ機器制御プログラムは、携帯電話機の制御部を、オーディオシステムを構成する複数のオーディオ機器のうち特定機器から、前記複数のオーディオ機器の現在の消費電力を受信する手段、前記受信した複数のオーディオ機器の現在の消費電力を合計してオーディオシステム全体の現在の消費電力であるシステム消費電力を算出する手段、算出されたシステム消費電力を表示する手段、前記システム消費電力の目標値の入力を受け付ける手段、入力されたシステム消費電力の目標値を前記複数のオーディオ機器に配分する手段、および、配分された各機器ごとの目標値をそれぞれ対応するオーディオ機器に送信する手段、として機能させることを特徴とする。
【００１２】
この発明の第６の側面によって提供される携帯電話機は、上記オーディオ機器制御プログラムを記憶する記憶部と、該記憶部に記憶されているプログラムを実行する制御部と、を備えたことを特徴とする。
【発明の効果】
【００１３】
この発明によれば、携帯電話機等の機器を用いて、オーディオシステム全体の消費電力を一括して目標値へ制御することが可能になる。
【図面の簡単な説明】
【００１４】
【図１】この発明が適用されるＡＶシステムの構成図
【図２】ＡＶレシーバに設けられる電力制御テーブルの例を示す図
【図３】この発明が適用される携帯電話機のブロック図
【図４】携帯電話機とＡＶコントローラプログラムの協働で構成されるＡＶコントローラの機能ブロック図
【図５】ＡＶコントローラの画面表示の一例を示す図
【図６】ＡＶコントローラの動作を示すフローチャート
【図７】ＡＶコントローラの動作を示すフローチャート
【図８】ＡＶコントローラの動作を示すフローチャート
【発明を実施するための形態】
【００１５】
図１は、この発明が適用されるＡＶシステム２の構成を示す図である。ＡＶシステム２は、ＡＶレシーバ３に、２台の再生機器４、５、および、２台の映像表示機器６、７が接続された構成である。再生機器４は、たとえばＤＶＤプレーヤであり、再生機器５は、たとえばセット・トップ・ボックス（ＳＴＢ）である。また、映像表示機器６は、たとえばテレビ受像機（ＴＶ）であり、映像表示機器７は、たとえばプロジェクターである。再生機器４、５とＡＶレシーバ３、ＡＶレシーバ３と映像表示機器６、７は、それぞれ、ＨＤＭＩで接続されている。また、ネットワーク８には、ＡＶレシーバ３、再生機器４および映像表示機器６は、ＬＡＮ（ローカル・エリア・ネットワーク）などのネットワーク８に接続されている。なお、ＡＶシステム２の構成は図示のものに限定されない。
【００１６】
ＡＶレシーバ３は、再生機器４、５が再生したＡＶ（オーディオ・ビデオ）信号を処理してスピーカ１０および映像表示機器６、７に出力する。また、ＡＶレシーバ３は、ＨＤＭＩまたはネットワーク８経由で、各機器（再生機器４、５および映像表示機器６、７）の現在の消費電力を収集し、この消費電力に基づいて決定された省電力目標値を各機器に対して送信する。
【００１７】
省電力目標値とは、ユーザが現在の消費電力を参照して設定したＡＶシステム２の省電力モードの動作のための電力目標値である。ユーザは、省電力モードでＡＶシステム２を動作させようとするとき、現在の動作状態と消費電力とを対照し、もう少し映像の輝度が低くてもよい、操作パネルのバックライトは不要、など許容できる範囲で現在の消費電力よりも小さい値を省電力目標値として設定する。ＡＶレシーバ３は、設定されたＡＶシステム２全体の省電力目標値を各機器に配分し、その配分値を各機器に通知する。各機器は、その通知を受けて、自己の消費電力がその目標値になるように省電力動作を実行する。省電力動作は、たとえば、電源電圧を低下させる、バックライトを消灯する、などの動作である。
【００１８】
ユーザは、携帯電話機１を用いて省電力目標値を設定する。携帯電話機１は、この省電力目標値をネットワーク８を介してＡＶレシーバ３に送信する。
【００１９】
携帯電話機１はいわゆるスマートフォンと言われる機種である。携帯電話機（スマートフォン）１は、携帯通信網である３Ｇ／４Ｇ通信機能を有するとともに、無線ＬＡＮ（Ｗｉ−Ｆｉ）通信機能を有しており、アクセスポイント９を介してネットワーク８に接続される。携帯電話機１は、アプリケーションプログラム（アプリ）であるＡＶコントローラプログラム５０を起動することにより、ネットワーク８経由でＡＶレシーバ３と接続され、ユーザの操作に応じてＡＶシステム２（ＡＶレシーバ３）を制御する。
【００２０】
ここで、図１を参照してＡＶレシーバ３の詳細構成について説明する。ＡＶレシーバ３は、制御部５０、ＡＶ回路部５１、パワーアンプ５２、ＬＡＮ通信部５３、表示部５４、操作部５５、チューナ５６、電源回路５７、ＨＤＭＩ入力部６３、６４、および、ＨＤＭＩ出力部６５、６６を有している。制御部５０は、コンピュータを含みＡＶレシーバ３およびＡＶシステム２の動作を制御する。制御部５０には、ＡＶ回路部５１、パワーアンプ５２、ＬＡＮ通信部５３、表示部５４、操作部５５、チューナ５６、電源回路５７、ＨＤＭＩ入力部６３、６４、および、ＨＤＭＩ出力部６５、６６が接続されている。
【００２１】
ＨＤＭＩ入力部６３、６４には、ぞれぞれ、再生機器４、５が接続されている。ＨＤＭＩ入力部６３、６４は、それぞれ、ＨＤＭＩコネクタおよびＨＤＭＩ入力回路を有し、再生機器４、５から入力されたデジタルＡＶ信号をＡＶ回路部５１に入力するとともに、再生機器４、５と制御部５０との間の通信を制御する。再生機器４、５と制御部５０の間では、たとえばＨＤＭＩ／ＣＥＣによるメッセージの送受信などの通信が行われる。この実施形態の場合、制御部５０から再生機器４、５に対する現在の消費電力の問い合わせメッセージや再生機器４、５から制御部５０に対する現在の消費電力を報告するメッセージが送受信される。
【００２２】
ＨＤＭＩ出力部６５、６６には、ぞれぞれ、映像表示機器６、７が接続されている。ＨＤＭＩ出力部６５、６６は、それぞれ、ＨＤＭＩコネクタおよびＨＤＭＩ出力回路を有し、ＡＶ回路部５１で処理されたデジタルＡＶ信号を映像表示機器６、７に出力するとともに、映像表示機器６、７と制御部５０との間の通信を制御する。映像表示機器６、７と制御部５０の間では、たとえばＨＤＭＩ／ＣＥＣによるメッセージの送受信などの通信が行われる。この実施形態の場合、制御部５０から映像表示機器６、７に対する現在の消費電力の問い合わせメッセージや映像表示機器６、７から制御部５０に対する消費電力を報告するメッセージなどが送受信される。
【００２３】
ＡＶ回路部５１は、ＨＤＭＩ入力部６３、６４から入力されたデジタルＡＶ信号を、ＨＤＭＩ出力部６５、６６に出力するとともに、入力されたデジタルＡＶ信号のうちデジタルオーディオ信号に対してイコライズ、音量調整、遅延などの処理を行ったのち、この処理されたオーディオ信号をパワーアンプ５２に出力する。また、入力ソースとして内蔵のチューナ５６が選択されている場合は、このオーディオ信号に対してイコライズ、音量調整などの処理を行ったのち、この処理されたオーディオ信号をパワーアンプ５２に出力する。なお、チューナ５６は、ＦＭ放送を受信する受信回路である。パワーアンプ５２は入力されたオーディオ信号を増幅し、外部接続されているスピーカ１０に出力する。スピーカ１０は、入力されたオーディオ信号を音響として放音する。
【００２４】
ここで、デジタルＡＶ信号のオーディオ信号に対して行われる遅延処理は、映像信号のデコード、表示に要する時間（約２５０ｍｓ）オーディオ信号を遅延させるいわゆるリップシンク処理と呼ばれる処理であり、これにより映像と音声の同期がずれないようにしている。
【００２５】
操作部５５は、ＡＶレシーバ３のフロントパネルにある各種のボタンスイッチ、ダイヤルを含み、ユーザによる入力ソースの選択や音量の調整などの操作を検出する。操作部５５は、検出した操作に応じて操作信号を発生し、この操作信号を制御部５０に入力する。
【００２６】
ＬＡＮ通信部５３は、ネットワーク８を介した通信を制御する。ネットワーク８には、アクセスポイント９を介して携帯電話機１が接続されており、制御部５０は、ＬＡＮ通信部５３−ネットワーク８を介して携帯電話機１と通信する。
【００２７】
表示部５４は、操作パネルに設けられたバックライト付きの液晶ディスプレイであり、ＡＶレシーバ３およびＡＶシステム２の動作状態などを表示する。表示部５４には、たとえば、現在選択されているソース、ボリューム値、演奏中の曲名などが表示される。
【００２８】
電源回路５７は、パワーアンプ５２を含むＡＶレシーバ３の全回路に電源を供給する回路である。電源回路５７は、パワーアンプ５２に供給する電源電圧を、高電圧から低電圧まで複数段階に切り換える。また、電源回路５７は、一次側（または二次側）の電流を検出する電流検出回路を備えており、制御部５０は、電流検出回路によって電源回路５７の電流を読み取ることで、現在の消費電力を取得する。
【００２９】
制御部５０は、接続されている回路部に対して以下のような処理を実行する。操作部５５および携帯電話機１からユーザによる操作信号を取得する。操作部５５、携帯電話機１から入力された操作信号に応じて、ＡＶ回路部５１に対して入力ソースの選択やボリューム値などを指示する。チューナ５６に対して選局を指示する。入力ソースの選択結果、音量設定値、チューナ５６の選曲情報などの制御内容を表示させるべく表示部５４に対して指示する。電源回路５７から現在の消費電力を取得する。
【００３０】
また、制御部５０は、ＡＶシステム２全体の消費電力を制御する。制御部５０は、この消費電力制御のために、電力制御テーブル５００を備えている。電力制御テーブル５００は、図２に示すように、ＡＶシステム２を構成する各機器の、現在の消費電力値のほか、動作時最小電力、待機電力、および、省電力目標値を記憶する。現在の消費電力は、制御部５０が、ＨＤＭＩ／ＣＥＣまたはネットワーク８を介して、定期的に（たとえば５秒ごとに）各機器から取得する。動作時最小電力は、機器が必要最小限の電力で動作した場合の消費電力、すなわち、機器の基本機能は維持しつつ、操作パネルのバックライトを消灯するなど基本機能に影響しない範囲で電力の消費を抑えた場合の消費電力である。待機電力は、電源オフ状態で電源オンコマンドが入力されるのを待機している状態における消費電力である。動作時最小電力および待機電力は、制御部５０または各機器の起動時に、制御部５０が、ＨＤＭＩ／ＣＥＣまたはネットワーク８を介して取得する。また、省電力目標値の合計値は、携帯電話機１からコマンドメッセージとして送られてくる電力制御の目標値であり、各機器別の省電力目標値は、合計値を制御部５０が各機器別に配分した値である。
【００３１】
携帯電話機１は、ＡＶコントローラプログラム５０により、ＡＶシステム２全体の消費電力の目標値（合計値）をＡＶレシーバ３に送信してくる。この目標値は、ユーザによって設定されたものである。制御部５０は、携帯電話機１から（ＡＶシステム２全体の）省電力目標値が送られてくると、このＡＶシステム２全体の省電力目標値を自己を含む各機器にこの電力値を配分して各機器毎の省電力目標値を決定する。各機器毎の省電力目標値は、電力制御テーブル５００に書き込まれている動作時最小電力やそのときの動作状態などを考慮して決定される。この決定された値が電力制御テーブル５００に書き込まれる。制御部５０は、算出した各機器の省電力目標値をそれぞれ対応する機器に送信する。そして、自己の消費電力が自己に対して設定された省電力目標値になるように省電力動作を実行する。省電力動作は、たとえば、表示部５４に対してバックライトの明るさを暗くする（またはオフする）ように指示する、電源回路５７に対してパワーアンプ５２の電源電圧を低い電圧に切り換えるように指示する、などの動作である。なお、この省電力動作は、省電力目標値の受信に応じて、ＡＶシステム２を構成する他の機器においても実行されるものとする。
【００３２】
次に、図３のブロック図を参照して、ＡＶコントローラプログラム５０が実行される携帯電話機１の構成を説明する。携帯電話機１は、バス２６上に、制御部２０、操作部３０、メディアインタフェース３１、Ｗｉ−Ｆｉ通信回路３２および３Ｇ／４Ｇ通信回路３３を有している。制御部２０は、ＣＰＵ２１、ＲＯＭ（フラッシュメモリ）２２、ＲＡＭ２３、画像プロセッサ２４および音声プロセッサ２５を含んでいる。画像プロセッサ２４には、ビデオＲＡＭ（ＶＲＡＭ）４０が接続され、ＶＲＡＭ４０には表示部４１が接続されている。表示部４１は、液晶のディスプレイを含み、待ち受け画面や電話番号などを表示する。また、後述のＡＶコントローラ１００の画面も表示部４１に表示される。音声プロセッサ２５には、Ｄ／Ａコンバータを含むアンプ４２が接続され、アンプ４２にはスピーカ１６が接続されている。
【００３３】
画像プロセッサ２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。画像プロセッサ２４は、ＡＶコントローラプログラム５０が起動された場合には、ＣＰＵ２１の指示に従ってＡＶコントローラの画像を生成し、これをＶＲＡＭ４０上に展開する。ＶＲＡＭ４０上に展開された画像は表示部４１に表示される。
【００３４】
音声プロセッサ２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ２５は、デコード／生成した音声をアンプ４２に出力する。アンプ４２は、この音声信号を増幅してスピーカ１６に出力する。
【００３５】
Ｗｉ−Ｆｉ通信回路３２は、無線アクセスポイント５との間でＩＥＥＥ８０２．１１ｇ規格の無線通信を行い、ＡＶレシーバ３などのネットワーク８上の機器とデータやメッセージの送受信を行う。ＡＶレシーバ３との間は、ＤＬＮＡ（Ｄｉｇｉｔａｌ  Ｌｉｖｉｎｇ  Ｎｅｔｗｏｒｋ  Ａｌｌｉａｎｃｅ）で規定されたフォーマットでメッセージを交換する。３Ｇ／４Ｇ通信回路３３は、携帯電話通信網を介して、音声通話およびデータ通信を行う。データ通信によってアプリケーションプログラムのダウンロードが行われる。なお、アプリケーションプログラムは、３Ｇ／４Ｇ通信でダウンロードするのみならず、Ｗｉ−Ｆｉ通信やＵＳＢなどのインタフェース経由で取得するようにしてもよい。
【００３６】
操作部３０は、表示部４１上に形成されたタッチパネルを含み、タッチパネル上のタッチ操作、フリック操作を検出する。メディアインタフェース３１にはメモリカード１５が接続される。メモリカード１５は、たとえばマイクロＳＤカードである。３Ｇ／４Ｇ通信回路３３によってサーバからダウンロードされたアプリケーションプログラムは、メモリカード１５またはＲＯＭ２２に保存される。この携帯電話機１では、図３に示すように、ＡＶコントローラプログラム５０（アプリケーションプログラム）がメモリカード１５に保存されている。
【００３７】
ＡＶコントロールプログラム５０は、プログラム本体に加えてプログラムの実行に必要なデータを含んでいる。プログラムの実行に必要なデータは、たとえば、コマンドテーブル５０１などである。コマンドテーブル５０１は、ＡＶシステム２に対する制御内容とその制御内容を表すコマンドを対応づけたテーブルである。コマンドテーブル５０１には、音量を上げる／下げる、入力ソースとしてＤＶＤプレーヤ／ＳＴＢを選択する、現在の消費電力を取得して携帯電話機１に送信する、消費電力を添付の省電力目標値に制御する、などのコマンドが記憶されている。
【００３８】
ＲＯＭ２２には、この携帯電話機１の通話やアプリケーションプログラムを実行するための基本プログラムが記憶されている。また、ＲＯＭ２２はフラッシュメモリであり、基本プログラムのほか、ダウンロードされたアプリケーションプログラムなどを記憶することも可能である。
【００３９】
ＲＡＭ２３には、ＣＰＵ２０がＡＶコントローラプログラム５０を実行する際に使用されるワークエリアが設定される。ワークエリアとして、システム構成記憶エリア２３１、動作状態記憶エリア２３２、消費電力記憶エリア２３３などが設定される。システム構成記憶エリア２３１には、ＡＶレシーバ３から取得したＡＶシステム２の構成情報が記憶される。システムの構成情報とは、ＡＶレシーバ３の上流、下流に接続されている機器、ＡＶレシーバ３が選択可能な入力ソースなどの情報である。この実施形態（図１）の場合、ＡＶレシーバ３の上流に再生機器４、５が接続され、下流に映像表示機器６、７が接続されており、選択可能な入力ソースは、再生機器４、５およびチューナ５６である旨の情報が記憶される。また、ＡＶシステム２の動作状態とは、選択されている入力ソース、ボリューム値、再生中の楽曲名などである。これらの情報は、入力ソースの選択やボリューム制御のために使用される。消費電力記憶エリア２３３には、現在のＡＶシステム２の現在の消費電力が記憶される。この記憶内容は、定期的に（たとえば５秒ごとに）更新される。この消費電力情報は、後述の電力設定画面において、省電力目標値の設定のために使用される。
【００４０】
携帯電話機１は、メモリカード１５に保存されているＡＶコントローラプログラム５０との協働によって、図４に示すようなＡＶコントローラ１００を構成し、Ｗｉ−Ｆｉ経由でＡＶレシーバ３にコマンドメッセージを送信してＡＶシステム２を制御する。
【００４１】
図４の機能ブロック図を参照して、携帯電話機１（ハードウェア）にＡＶコントローラプログラム５０が読み込まれることによって実現されるＡＶコントローラ１００について説明する。ＡＶコントローラ１００は、操作画面表示部１１０、操作検出部１２０、メッセージ編集送信部１３０およびシステム状態取得部１４０を有している。
【００４２】
操作画面表示部１１０は、制御部２０、ＶＲＡＭ４０、表示部４１およびＡＶコントローラプログラム５０の協働によって実現され、携帯電話機１の表示部４１に、各種の操作画面を表示する。また、操作検出部１２０は、制御部２０、操作部３０およびＡＶコントローラプログラム５０の協働によって実現され、表示部４１に表示された操作画面に対する操作（たとえば、クリック操作やドラッグ操作）を検出する。
【００４３】
操作画面表示部１１０が表示部４１に表示する操作画面は、たとえば、入力ソースの選択画面、ＤＳＰ設定画面、シーン選択画面、電力設定画面などである。入力ソース選択画面は、ＡＶレシーバ３に接続されている再生機器５、６や内蔵のチューナ５６など選択可能な入力ソースのアイコンを配列表示した画面である。ＤＳＰ選択画面は、複数の音場プログラムのアイコンを配列表示した画面である。シーン選択画面は、入力ソースや音場プログラムを一括で切り換えるシーンアイコンを配列表示した画面である。ユーザが、いずれかのアイコンを操作することにより、ＡＶコントローラ１００は、そのアイコンに対応した制御を指示するコマンドメッセージをＡＶレシーバ３に対して送信する。
【００４４】
また、電力設定画面は、図５に示すようなものである。この図において、表示部４１にはウィンドウ４１０が形成され、このウィンドウ４１０内に、上から順に、現在の消費電力の表示エリア４１１、省電力目標値設定用の電力スケール４１２、スライダ４１３、スライダ４１３によって選択された省電力目標値の表示エリア４１４、および、決定ボタン４１５が表示されている。表示エリア４１１には、ＡＶレシーバ３から取得されたＡＶシステム２全体の消費電力値が表示される。この消費電力値は定期的に（たとえば５秒ごとに）更新される。この図では、「５４２Ｗ」が表示エリア４１１に表示されている。電力スケール４１２には、現在の消費電力値を最大値として−６０ワットまでの電力値が１次元の目盛りとして表示される。この図では、４８２Ｗから５４２Ｗまでのスケールが表示されている。スライダ４１３は、ユーザの指やスタイラスペンによるドラッグによって左右にスライドされる。スライダ４１３が指し示す電力スケール４１２上の位置が、現在選択されている電力の省電力目標値として選択される。この値が表示エリア４１４に表示される。この図では、「５０２Ｗ」が表示エリア４１４に表示されている。すなわち、スライダ４１３の操作により−４０Ｗの省電力目標値が選択されている。また、電力スケール４１２は、その左端からスライダ４１３の指し示す位置までが着色され、現在どの程度の電力値が選択されているかを直感的にわかり易く示している。
【００４５】
ユーザは、スライダ４１３をドラッグ操作して所望の電力値を選択し、そののち決定ボタン４１５をクリック操作する。この操作を行うことで、その電力値が省電力目標値としてＡＶレシーバ３に送信される。すなわち、操作検出部１２０が決定ボタン４１５のクリック操作を検出すると、この操作情報および電力の省電力目標値がメッセージ編集送信部１３０に入力される。メッセージ編集送信部１３０は、コマンドメッセージを編集してＡＶレシーバ３に送信する。
【００４６】
また、図５において、表示部４１のウィンドウ４１０の下には、入力ソースの選択画面、ＤＳＰ設定選択画面、シーン選択画面、電力設定画面を選択するためのアイコン群４２０が表示されている。ユーザは、いずれかのアイコンをクリックすることで、ウィンドウ４１０内にその操作画面を表示させることができる。現在は、電力設定画面が選択されているため、ウィンドウ４１０には、電力設定画面のアイコンを指し示す突起が付加されている。
【００４７】
メッセージ編集送信部１３０は、制御部２０、Ｗｉ−Ｆｉ通信回路３２およびＡＶコントローラプログラム５０の協働によって実現される。メッセージ編集送信部１３０は、操作検出部１２０から入力された操作情報に基づき、その操作情報に対応するコマンドをコマンドテーブル５０１から読み出してコマンドメッセージを編集する。そして、そのコマンドメッセージをＡＶレシーバ３に送信する。コマンドメッセージは、上述したコマンド（制御内容：音量を上げる／下げる、入力ソースとしてＤＶＤプレーヤ／ＳＴＢを選択する、現在の消費電力を取得して携帯電話機１に送信する、消費電力を添付の省電力目標値に制御する、など）をＡＶレシーバ３に指示するメッセージである。
【００４８】
システム状態取得部１４０は、制御部２０、Ｗｉ−Ｆｉ通信回路３２およびＡＶコントローラプログラム５０の協働によって実現される。システム状態取得部１４０は、ＡＶコントローラ１００の起動時またはＡＶレシーバ３の起動時に、ＡＶレシーバ３からＡＶシステム２のシステム構成情報を取得する。取得されたシステム構成情報は、システム構成記憶エリア２３１に記憶される。
【００４９】
また、システム状態取得部１４０は、定期的（たとえば５秒毎）にＡＶレシーバ３から現在のＡＶシステム２の状態を取得する。ＡＶシステム２の状態とは、動作状態や消費電力などであり、たとえば、選択されている入力ソース、現在の消費電力、再生中の曲名、音量値などの情報である。受信したシステム状態情報は、動作状態記憶エリア２３２、消費電力記憶エリア２３３に記憶されるとともに、操作画面表示部１１０によって表示部４１の操作画面に表示される。
【００５０】
フローチャートを参照して携帯電話機１（ＡＶコントローラ１００）およびＡＶレシーバ３の動作を説明する。図６、図７は、携帯電話機１とＡＶコントローラプログラム５０との協働によって実現されるＡＶコントローラ１００の動作を示すフローチャートである。また、図８はＡＶレシーバ３の制御部５０の動作を示すフローチャートである。
【００５１】
図６（Ａ）は、ＡＶコントローラ１００の起動時、すなわち、携帯電話機１上でＡＶコントローラプログラム５０が起動されたときの動作を示すフローチャートである。まず、ネットワーク８内のＡＶレシーバ３を検索し（Ｓ１）、検出したＡＶレシーバ３にコマンドメッセージを送信してシステム構成情報、現在の動作状態、および、現在の消費電力を取得する（Ｓ２、Ｓ３、Ｓ４）。取得した情報は、システム構成情報記憶エリア２３１、動作状態記憶エリア２３２および消費電力記憶エリア２３３に記憶される。そして、取得したこれらの情報に基づいて、入力ソース選択画面や電力設定画面などのＡＶコントローラ１００の操作画面を構成する（Ｓ５）。
【００５２】
図６（Ｂ）は、ＡＶコントローラ１００の定期通信動作を示すフローチャートである。この動作は、定期的に（たとえば５秒ごとに）実行される。ＡＶレシーバ３にコマンドメッセージを送信して、現在の動作状態および現在の消費電力を取得する（Ｓ６、Ｓ７）。取得した情報で、動作状態記憶エリア２３２および消費電力記憶エリア２３３の記憶内容が更新される。そして、取得したこれらの情報に基づいて、操作画面の表示内容を更新する（Ｓ８）。
【００５３】
図６（Ｃ）は、ＡＶコントローラ１００の通常動作を示すフローチャートである。この動作は所定期間（たとえば１０ｍｓ）毎に繰り返し実行される。まず、ユーザによる操作があったか否かを判断する（Ｓ１０）。操作がない場合には（Ｓ１０でＮＯ）、そのまま動作を終了する。ユーザによる操作があった場合には（Ｓ１０でＹＥＳ）、その操作に応じた制御を行うためのコマンドをコマンドテーブル５０１から読み出し（Ｓ１１）、このコマンドを埋め込んだコマンドメッセージを編集して（Ｓ１２）、ＡＶレシーバ３に送信する（Ｓ１３）。これにより、ユーザが携帯電話機１を用いてＡＶシステム２をコントロールすることができる。
【００５４】
図７は、図６（Ｂ）、（Ｃ）の定期通信動作、通常動作のうち、図５に示した電力設定画面が表示されている場面における処理の流れを表すフローチャートである。ユーザによる（図５右下隅の）電力設定アイコンのクリック操作に対応してこの動作がスタートする。まず、図５に示す電力設定画面を表示する（Ｓ２０）。この表示ののち、ＡＶレシーバ３から最新の消費電力を取得するか（Ｓ２１）、スライダ４１３スライド操作を検出するか（Ｓ２２）、または、決定ボタン４１５のクリック操作を検出するまで（Ｓ２３）、Ｓ２１、Ｓ２２、Ｓ２３の待機ルーチンで待機する。
【００５５】
最新の消費電力を取得した場合は（Ｓ２１でＹＥＳ）、図５の表示エリア４１１に表示される電力値をこの最新のものに更新するとともに、この電力値が最大値となるように、電力スケール４１２のレンジを更新する。このレンジの更新に伴って、スライダ４１３が指し示す電力値も更新されるため、表示エリア４１４に表示される省電力目標値の値も更新する（Ｓ２６）。スライダ４１３のスライド操作が検出された場合には（Ｓ２２でＹＥＳ）、そのスライド操作に応じた位置にスライダ４１３の画像を移動させ（Ｓ２７）、電力スケール４１２上のスライダが指し示す位置の電力を読み取って省電力目標値として表示エリア４１４に表示する（Ｓ２８）。
【００５６】
決定ボタン４１５のクリック操作が検出された場合には（Ｓ２３でＹＥＳ）、そのとき表示エリア４１４に表示されている省電力目標値にＡＶシステム２を制御する。すなわち、省電力目標値を記載したコマンドメッセージを作成し（Ｓ２８）、このコマンドメッセージをＡＶレシーバ３に送信する（Ｓ３０）。ユーザによって、図５の下辺に表示されている他のアイコン（入力選択アイコン、ＤＳＰアイコン、シーン選択アイコン）がクリック操作されたとき、この電力設定動作を終了する。
【００５７】
図８（Ａ）は、ＡＶレシーバ３の制御部５０の起動時の動作を示すフローチャートである。ＡＶレシーバ３の電源がオンされると、制御部５０は、ＡＶレシーバ３の各部の機能を設定するとともに、以下の処理を行う。まず、ＨＤＭＩのＤＤＣ（Ｄｉｓｐｌａｙ  Ｄａｔａ  Ｃｈａｎｎｅｌ）信号等により、ＨＤＭＩ入力部６３、６４、および、ＨＤＭＩ出力部６５、６６にどのような機器が接続されているかを検索する（Ｓ３５）。この検索により、システム構成を把握し、システム構成情報を作成する（Ｓ３６）。こののち、各機器から消費電力情報を取得する（Ｓ３７）。Ｓ３７で取得される消費電力情報は、動作時最小電力および待機電力であり、図２の電力制御テーブル５００に書き込まれる。
【００５８】
なお、ＡＶレシーバ３に接続されている機器が、ＡＶレシーバ３よりも後に電源オンされた場合、ＡＶレシーバ３は、その機器が電源オンされたときに消費電力情報を受信するものとする。
【００５９】
図８（Ｂ）は、ＡＶレシーバ３の制御部５０の消費電力情報収集動作を示すフローチャートである。ＡＶレシーバ３は、定期的に（たとえば５秒ごとに）この処理を実行する。制御部５０は、この処理を、ＡＶレシーバ３が自主的に行ってもよく、携帯電話機１から収集要求のコマンドメッセージを受信したことに応じて実行してもよい。
【００６０】
まず、ＡＶレシーバ３に接続されている各機器に対して消費電力問い合わせのメッセージを送信する（Ｓ４０）。これに応じて各機器から消費電力を回答するメッセージが送られてくるため、これを受信する（Ｓ４１）。また、自己の消費電力を読み取る（Ｓ４２）。これらの消費電力を合成してＡＶシステム２全体の消費電力を算出する（Ｓ４３）。この消費電力値を、（消費電力送信要求のコマンドメッセージに応じて）携帯電話機１に送信する（Ｓ４４）。
【００６１】
図８（Ｃ）は、省電力目標値を受信したときの制御部５０の動作を示すフローチャートである。携帯電話機１から省電力目標値を受信する（Ｓ５０）と、この省電力目標値を各機器に配分して、各機器毎の省電力目標値を決定する（Ｓ５１）。各機器毎の省電力目標値は、電力制御テーブル５００に書き込まれている動作時最小電力やそのときの動作状態などを考慮して決定される。決定された各機器ごとの省電力目標値は、それぞれ対応する機器に対して電力制御コマンドとして送信される（Ｓ５２）。そして、制御部５０は、自己の消費電力を自己に配分した省電力目標値に制御する（Ｓ５４）。
【００６２】
ＡＶレシーバ３と他の機器との通信はＨＤＭＩ／ＣＥＣで行ってもよいし、ネットワーク８に接続されている機器との間は、ネットワーク８を介した通信で行ってもよい。
【００６３】
また、ＡＶコントローラ１００に、ユーザの操作に応じて、ＡＶシステム２の省電力モード、すなわち、ＡＶシステムが省電力目標値に消費電力を制御して動作するモードを解除するコマンドメッセージをＡＶレシーバ３に送信する機能をさらに設けてもよい。
【００６４】
以上の実施形態では、図２の電力制御テーブルをＡＶレシーバ３の制御部５０に設け、この制御部５０が、携帯電話機１から受信したＡＶシステム２全体の省電力目標値を各機器に配分する構成である。すなわち、携帯電話機１は、ユーザによって設定されたＡＶシステム全体の省電力目標値をＡＶレシーバ３に送信するのみである。しかし、電力制御テーブル３を携帯電話機１に設け、携帯電話機１（ＡＶコントローラ１００）が、ユーザによって設定されたＡＶシステム全体の省電力目標値を各機器に配分する処理を行ってもよい。この場合に、各機器別の省電力目標値は、携帯電話機１からＡＶレシーバ３経由で対応する機器に送信されてもよく、ネットワーク８を介して、携帯電話機１から直接対応する機器に送信されてもよい。
【００６５】
また、この場合に、携帯電話機１の電力制御テーブルの内容、すなわち、接続機器名、動作最小電力および待機電力は、ＡＶレシーバ３が収集したものを転送してもらえばよいが、携帯電話機１が独自に収集してもよい。
【００６６】
この実施形態では、映像を含むＡＶシステムを例にあげて説明したが、本発明は、オーディオのみのシステムにおいても適用可能である。
【符号の説明】
【００６７】
１  携帯電話機
２  ＡＶシステム
３  ＡＶレシーバ
１５  メモリカード
２０  制御部
４１  表示部
５０  ＡＶコントローラプログラム
１００  ＡＶコントローラ
２３１  システム構成記憶エリア
２３２  動作状態記憶エリア
２３３  消費電力記憶エリア
５００  電力制御テーブル
５０１  コマンドテーブル
【図１】
0005900739.tif 000002
【図２】
0005900739.tif 000003
【図３】
0005900739.tif 000004
【図４】
0005900739.tif 000005
【図５】
0005900739.tif 000006
【図６】
0005900739.tif 000007
【図７】
0005900739.tif 000008
【図８】
0005900739.tif 000009